(57)【要約】【課題】設定初期化の操作を極めて簡単に行うことができるようにする。【解決手段】制御手段としての制御部１９により、ユーザからの初期化の指示を受け付けると、表示手段としてのＯＳＤコントローラ１７に対して記憶手段としてのメモリ１６に記憶されているメニュー画面情報に基づき、メニュー画面にユーザが設定変更した項目が表示されるように制御し、さらにユーザから表示されている設定変更した項目のいずれかの選択を受け付けると、選択された項目の変更値を初期化するようにした。【選択図】図１
2007306113.tif 000002
【特許請求の範囲】
【請求項１】
機器の調整に関わる設定を変更する設定変更装置であって、
前記機器の調整に関わるメニュー画面を表示する表示手段と、
ユーザからの初期化の指示を受け付けると、前記メニュー画面に全初期化又は部分初期化のいずれかを選択させる項目を表示させるように制御する制御手段とを備え、
前記制御手段は、前記項目から前記全初期化又は部分初期化のいずれかが選択されると、該選択に応じて設定変更された項目の変更値を初期化する
ことを特徴とする設定変更装置。
【請求項２】
機器の調整に関わる設定を変更する設定変更装置であって、
前記機器の調整に関わる各種項目を有したメニュー画面情報と設定変更のある項目に対応した変更値とを記憶する記憶手段と、
前記メニュー画面情報を用いてメニュー画面を表示する表示手段と、
ユーザからの初期化の指示を受け付けると、前記表示手段に対して前記メニュー画面にユーザが設定変更した項目を表示させるように制御する制御手段とを備え、
前記制御手段は、ユーザから表示されている前記設定変更した項目のいずれかの選択を受け付けると、選択された項目の変更値を初期化する
ことを特徴とする設定変更装置。
【請求項３】
前記制御手段は、ユーザから全初期化の指示を受け付けると、前記設定変更した項目の全ての変更値を初期化することを特徴とする請求項１又は２に記載の設定変更装置。
【請求項４】
前記制御手段は、初期化に際して前記変更値を初期値に戻すことを特徴とする請求項１〜３のいずれかに記載の設定変更装置。
【請求項５】
前記制御手段は、初期化を実行する前に前記表示手段に対して初期化を実行するか否かを確認するための確認画面を表示させるように制御することを特徴とする請求項１〜４のいずれかに記載の設定変更装置。
【請求項６】
請求項１〜５のいずれかの設定変更装置を備えたことを特徴とするテレビジョン受信機。
【請求項７】
機器の調整に関わる設定を変更する設定変更方法であって、
前記機器の調整に関わるメニュー画面を表示するステップと、
ユーザからの初期化の指示を受け付けると、前記メニュー画面に全初期化又は部分初期化のいずれかを選択させる項目を表示させるステップとを有し、
前記項目から前記全初期化又は部分初期化のいずれかが選択されると、該選択に応じて設定変更された項目の変更値が初期化される
ことを特徴とする設定変更方法。
【請求項８】
機器の調整に関わる設定を変更する設定変更方法であって、
前記機器の調整に関わる各種項目を有したメニュー画面情報と設定変更のある項目に対応した変更値とを記憶するステップと、
前記メニュー画面情報を用いてメニュー画面を表示するステップと、
ユーザからの初期化の指示を受け付けると、前記メニュー画面にユーザが設定変更した項目を表示させるように制御するステップとを有し、
ユーザから表示されている前記設定変更した項目のいずれかの選択を受け付けると、選択された項目の変更値が初期化される
ことを特徴とする設定変更方法。
【請求項９】
ユーザから全初期化の指示を受け付けると、前記設定変更した項目の全ての変更値が初期化されることを特徴とする請求項７又は８に記載の設定変更方法。
【請求項１０】
初期化に際して前記変更値が初期値に戻されることを特徴とする請求項７〜９のいずれかに記載の設定変更方法。
【請求項１１】
初期化を実行する前に初期化を実行するか否かを確認するための確認画面を表示させるように制御するステップを有することを特徴とする請求項７〜１０のいずれかに記載の設定変更方法。
【発明の詳細な説明】
【技術分野】
【０００１】
本発明は、たとえばテレビジョン受信機における音質、画質等の調整に関わる設定変更の際の初期化に適した設定変更装置、テレビジョン受信機及び設定変更方法に関する。
【背景技術】
【０００２】
たとえばテレビジョン受信機では、メニュー表示機能によって音質、画質等の調整操作やタイマー等の設定操作を行うことができる。この場合、たとえばリモコンに設けられているメニューボタンの操作によりメニュー画面表示を行い、そのメニュー画面に表示される数種類の設定項目や調整項目の中から必要な項目を選択することで実施することができる。
【０００３】
ここで、たとえば音質の設定を変える場合、上述したメニューボタンの操作により音質、画質等の各種設定が表示されるメインメニューを表示させ、さらにそのメインメニューに階層表示された音質の項目を選択すると、高音、低音、バランス等の音質に関する項目を有するサブメニューが表示される。そして、そのサブメニューの項目を選択することで、高音、低音、バランス等の音質を調整することができる。
【０００４】
ところで、メインメニュー内のサブメニューに表示されるいずれかの項目を一旦設定した場合でも、後ほどまた設定変更する必要がでてくることがある。ときには、一度変更した設定値に不具合があり、元の値に戻したい場合や、定期的に同一項目の設定値を変化させたい場合等もある。こうした場合、その都度複雑な階層構造をもつメニュー画面の中をたどる操作が必要であり、非常に煩わしいものである。
【０００５】
このような煩わしさを解消するようにしたものとして、特許文献１では、設定変更が行われると、メモリ部に記憶される設定変更履歴リストに設定変更に関する情報が付加され、その設定変更履歴リストの表示を指示すると、設定変更履歴リストが表示され、そのリストの中から設定項目を選択すると、その設定項目の設定が元に戻されるようにしたメニュー表示制御装置を提案している。
【特許文献１】特開２００３−２３５８０号公報
【発明の開示】
【発明が解決しようとする課題】
【０００６】
ところが、上述した特許文献１では、設定変更履歴リストの中から設定項目を選択することで、その選択した項目の設定値を前に設定した値に設定変更できるものであるが、設定初期化を行おうとすると、全ての設定項目が初期値に戻されてしまう。
【０００７】
そのため、ユーザは初期化を行った後に、多数ある設定項目のうち、必要な項目のみを再度設定し直す必要があることから、設定初期化の操作が極めて煩わしいという問題があった。
【０００８】
本発明は、このような状況に鑑みてなされたものであり、上記問題点を解決することができる設定変更装置、テレビジョン受信機及び設定変更方法を提供することを目的とする。
【課題を解決するための手段】
【０００９】
本発明の設定変更装置は、機器の調整に関わる設定を変更する設定変更装置であって、前記機器の調整に関わるメニュー画面を表示する表示手段と、ユーザからの初期化の指示を受け付けると、前記メニュー画面に全初期化又は部分初期化のいずれかを選択させる項目を表示させるように制御する制御手段とを備え、前記制御手段は、前記項目から前記全初期化又は部分初期化のいずれかが選択されると、該選択に応じて設定変更された項目の変更値を初期化することを特徴とする。
本発明の設定変更装置は、機器の調整に関わる設定を変更する設定変更装置であって、前記機器の調整に関わる各種項目を有したメニュー画面情報と設定変更のある項目に対応した変更値とを記憶する記憶手段と、前記メニュー画面情報を用いてメニュー画面を表示する表示手段と、ユーザからの初期化の指示を受け付けると、前記表示手段に対して前記メニュー画面にユーザが設定変更した項目を表示させるように制御する制御手段とを備え、前記制御手段は、ユーザから表示されている前記設定変更した項目のいずれかの選択を受け付けると、選択された項目の変更値を初期化することを特徴とする。
また、前記制御手段は、ユーザから全初期化の指示を受け付けると、前記設定変更した項目の全ての変更値を初期化するようにすることができる。
また、前記制御手段は、初期化に際して前記変更値を初期値に戻すようにすることができる。
また、前記制御手段は、初期化を実行する前に前記表示手段に対して初期化を実行するか否かを確認するための確認画面を表示させるように制御するようにすることができる。
本発明のテレビジョン受信機は、請求項１〜５のいずれかの設定変更装置を備えたことを特徴とする。
本発明の設定変更方法は、機器の調整に関わる設定を変更する設定変更方法であって、前記機器の調整に関わるメニュー画面を表示するステップと、ユーザからの初期化の指示を受け付けると、前記メニュー画面に全初期化又は部分初期化のいずれかを選択させる項目を表示させるステップとを有し、前記項目から前記全初期化又は部分初期化のいずれかが選択されると、該選択に応じて設定変更された項目の変更値が初期化されることを特徴とする。
本発明の設定変更方法は、機器の調整に関わる設定を変更する設定変更方法であって、前記機器の調整に関わる各種項目を有したメニュー画面情報と設定変更のある項目に対応した変更値とを記憶するステップと、前記メニュー画面情報を用いてメニュー画面を表示するステップと、ユーザからの初期化の指示を受け付けると、前記メニュー画面にユーザが設定変更した項目を表示させるように制御するステップとを有し、ユーザから表示されている前記設定変更した項目のいずれかの選択を受け付けると、選択された項目の変更値が初期化されることを特徴とする。
また、ユーザから全初期化の指示を受け付けると、前記設定変更した項目の全ての変更値が初期化されるようにすることができる。
また、初期化に際して前記変更値が初期値に戻されるようにすることができる。
また、初期化を実行する前に初期化を実行するか否かを確認するための確認画面を表示させるように制御するステップを有するようにすることができる。
本発明の設定変更装置、テレビジョン受信機及び設定変更方法では、ユーザからの初期化の指示を受け付けると、メニュー画面にユーザが設定変更した項目が表示され、さらにユーザから表示されている設定変更した項目のいずれかの選択を受け付けると、選択された項目の変更値が初期化される。
【発明の効果】
【００１０】
本発明の設定変更装置、テレビジョン受信機及び設定変更方法によれば、ユーザからの初期化の指示を受け付けると、メニュー画面にユーザが設定変更した項目が表示され、さらにユーザから表示されている設定変更した項目のいずれかの選択を受け付けると、選択された項目の変更値が初期化されるようにしたので、設定初期化の操作を極めて簡単に行うことができる。
【発明を実施するための最良の形態】
【００１１】
本実施形態では、制御手段がユーザからの初期化の指示を受け付けると、表示手段に対して記憶手段に記憶されているメニュー画面情報に基づき、メニュー画面にユーザが設定変更した項目が表示されるように制御し、さらにユーザから表示されている設定変更した項目のいずれかの選択を受け付けると、選択された項目の変更値を初期化することで、設定初期化の操作を極めて簡単に行うことができるようにした。
【実施例】
【００１２】
以下、本発明の実施例の詳細について説明する。図１は、本発明の設定変更装置をテレビジョン受信機に適用した場合の一実施例を説明するための図である。
【００１３】
図１に示すテレビジョン受信機１０は、チューナ１１、デジタル信号復調部１２、ＴＳ（トランスポートストリーム）デコーダ１３、Ａ／Ｖ（音声／映像）デコーダ１４、Ａ／Ｖ（音声／映像）出力部１５、メモリ１６、ＯＳＤ（Ｏｎ  Ｓｃｒｅｅｎ  Ｄｉｓｐｌａｙ）コントローラ１７、リモコン受信器１８、制御部１９を備えている。ここで、メモリ１６、ＯＳＤコントローラ１７、制御部１９によって設定変更装置が構成されている。
【００１４】
チューナ１１は、たとえばリモコン受信器１８によって受信された選局データに基づきデジタル放送信号の選局を行う。デジタル信号復調部１２は、チューナ１１によって選局されたデジタル放送信号を復調し、ＭＰＥＧ２符号化方式等で符号化された映像、音声、データが多重されたビットストリーム（以下、トランスポートストリームという）として出力する。
【００１５】
ＴＳデコーダ１３は、デジタル信号復調部１２からのトランスポートストリームから映像データ、音声データ、電子番組表データ等の各種データを分離・抽出して出力する。Ａ／Ｖデコーダ１４は、ＴＳデコーダ１３によって分離・抽出された映像データ及び音声データに対しＭＰＥＧ２等の復号処理を行って出力する。Ａ／Ｖ出力部１５は、Ａ／Ｖデコーダ１４によって復号処理されたＡ／Ｖ信号を出力する。
【００１６】
メモリ１６には、後述するメニュー画面１０ａ等を表示させるための調整に関わる各種項目を有したメニュー画面情報や同じく後述する初期値及び変更値等が記憶される。また、メモリ１６には、ＴＳデコーダ１３によって分離・抽出された電子番組表データ等が記憶される。ＯＳＤコントローラ１７は、図示しないディスプレイ上に、メモリ１６に記憶されているメニュー画面情報に基づき、後述の各種項目を有したメニュー画面１０ａ等を表示させる。
【００１７】
リモコン受信器１８は、後述のリモコン２０から赤外線信号によって送信される選局データ、ＯＳＤの表示指示データ、メニュー画面上での選択データ等を受信する。
【００１８】
制御部１９は、各部の動作を所定のプログラムに基づいて制御する。本実施例における制御部１９の主な制御としては、後述のリモコン２０から後述のメニュー画面１０ａの表示指示があると、そのメニュー画面１０ａにユーザが設定変更した項目を表示させるようにＯＳＤコントローラ１７を制御することである。また、制御部１９の主な制御としては、設定変更した項目の全初期化又は部分初期化の選択を受け付けて実行することである。
【００１９】
図２は、リモコン２０の概要を説明するための図であり、メニューボタン２１、カーソルボタン２２、戻るボタン２３、決定ボタン２４、終了ボタン２５を備えている。
【００２０】
メニューボタン２１は、後述のメニュー画面１０ａ等の表示を入／切する際に操作されるものである。カーソルボタン２２は、上下左右方向にカーソルを移動させて後述のメニュー画面１０ａの項目を選択する際に操作されるものである。なお、項目の調整は、左右のカーソルボタンを操作することで行うことができる。
【００２１】
戻るボタン２３は、１つ前の画面に戻る際に操作されるものである。決定ボタン２４は、選択した項目等を確定する際に操作されるものである。終了ボタン２５は、後述のメニュー画面１０ａ等の表示を終了させる際に操作されるものである。
【００２２】
次に、設定変更方法について説明する。まず、図３に示すように、リモコン２０のメニューボタン２１が操作されると、制御部１９により後述のメニュー画面１０ａの指示有りが判断される（ステップＳ１）。
【００２３】
このとき、制御部１９によりＯＳＤコントローラ１７が制御され、図示しないディスプレイにたとえば図４（ａ）に示すようなメニュー画面１０ａが表示される。メニュー画面１０ａには、たとえば音（Ａｕｄｉｏ）１０ｂ、電源制御（Ｐｏｗｅｒ  ｃｔｒｌ）１０ｃ、環境設定（Ｓｅｔ  ｕｐ）１０ｄ、その他（Ｏｐｔｉｏｎｓ）１０ｅの項目が表示されている。
【００２４】
ここで、リモコン２０のカーソルボタン２２を操作して環境設定（Ｓｅｔ  ｕｐ）１０ｄを選択し、リモコン２０の決定ボタン２４を操作すると、たとえば図４（ｂ）に示すようなサブメニュー画面１０ｆが表示される。
【００２５】
ここで、リモコン２０のカーソルボタン２２を操作して初期化（Ｆｏｒｍａｔ）を選択し、リモコン２０の決定ボタン２４を操作すると、たとえば図４（ｃ）に示すようなユーザが設定変更した項目を示す変更点表示画面１０ｇが表示される（ステップＳ２）。
【００２６】
すなわち、メモリ１６には、たとえば図７に示すような映像、音声等の設定情報が記憶されている。その設定情報には、たとえば初期化項目、選択項目、初期値、変更値が含まれている。そのため、制御部１９が初期値に対して変更された変更値の有無により、ユーザが設定変更した項目を判別することができる。
【００２７】
また、変更点表示画面１０ｇには、全初期化と部分初期化とが表示されており、いずれかを選択することで、全初期化又は部分初期化が実行される。ここで、初期化とは、上述した変更値を初期値にすることである。
【００２８】
なお、図４（ｃ）の画面から図４（ｂ）の画面、さらには図４（ｂ）の画面から図４（ａ）の画面に戻る場合は、リモコン２０の戻るボタン２３を操作すればよい。ここで、全初期化又は部分初期化のいずれかをリモコン２０のカーソルボタン２２を操作して選択する（ステップＳ３）。全初期化を選択した場合は、制御部１９により全初期化が実行される（ステップＳ４）。
【００２９】
すなわち、図４（ｃ）の変更点表示画面１０ｇで全初期化が選択されると、たとえば図５（ａ）に示すような確認画面１０ｈが表示される。ここで、リモコン２０のカーソルボタン２２を操作して”はい”を選択すると、制御部１９により全初期化が実行される。このとき、メニュー画面１０ａには図５（ｂ）に示すような全初期化の実行中を示す実行表示画面１０ｉが表示される。
【００３０】
そして、全初期化の実行が終了すると、メニュー画面１０ａには図５（ｃ）に示すような全初期化の終了を示す実行終了表示画面１０ｊが表示される。これにより、ユーザが設定変更した全ての項目の変更値が初期値に戻される。
【００３１】
一方、図４（ｃ）の変更点表示画面１０ｇでリモコン２０のカーソルボタン２２を操作し、部分初期化を選択した場合は、初期化可能な項目が表示される（ステップＳ５）。この場合、メニュー画面１０ａにはたとえば図６（ａ）に示すような変更内容確認画面１０ｋが表示される。変更内容確認画面１０ｋには、図７で説明したユーザが設定変更した項目と、その項目の変更値等が表示される。
【００３２】
ここで、リモコン２０のカーソルボタン２２を操作し、初期化したい項目を選択して決定ボタン２４を操作すると、初期化したい項目にチェックが入れられる（ステップＳ６）。初期化したい項目のチェックを入れ終わったら、変更内容確認画面１０ｋに表示されている”部分初期化実行”をリモコン２０のカーソルボタン２２を操作して選択し、決定ボタン２４を操作すると、たとえば図６（ｂ）に示すようなチェックを入れた項目の内容である初期化点を示す確認画面１０ｌが表示される。
【００３３】
なお、図６（ａ）の画面から前の画面に戻る場合は、上記同様に、リモコン２０の戻るボタン２３を操作すればよい。
【００３４】
一方、図６（ｂ）の確認画面１０ｌで部分初期化を実行する場合、リモコン２０のカーソルボタン２２を操作して”はい”を選択し、決定ボタン２４を操作すると、たとえば、メニュー画面１０ａには図６（ｃ）に示すような部分初期化の実行中を示す実行表示画面１０ｍが表示される。
【００３５】
そして、部分初期化の実行が終了すると、メニュー画面１０ａには図６（ｄ）に示すような部分初期化の終了を示す実行終了表示画面１０ｎが表示される。これにより、ユーザが設定変更した項目のうち、チェックを入れた項目の変更値が初期値に戻される。
【００３６】
なお、図６（ｂ）の確認画面１０ｌで”いいえ”を選択した場合は、図４（ａ）に示した初期画面であるメニュー画面１０ａに戻り、同じく図６（ｂ）の確認画面１０ｌでリモコン２０の戻るボタン２３を操作すると前の画面に戻るようになっている。
【００３７】
このように、本実施例では、制御手段としての制御部１９により、ユーザからの初期化の指示を受け付けると、表示手段としてのＯＳＤコントローラ１７に対して記憶手段としてのメモリ１６に記憶されているメニュー画面情報に基づき、メニュー画面１０ａにユーザが設定変更した項目が表示されるように制御し、さらにユーザから表示されている設定変更した項目のいずれかの選択を受け付けると、選択された項目の変更値を初期化するようにしたので、設定初期化の操作を極めて簡単に行うことができる。
【００３８】
また、本実施例では、制御部１９がユーザからの全初期化の指示を受け付けると、設定変更した項目の全ての変更値が初期化されるようにしたので、全初期化の操作を行うこともできる。
【産業上の利用可能性】
【００３９】
テレビジョン受信機に限らず、ＰＤＡ、携帯電話、ノートパソコン、モバイル向けテレビ、ハードディスクオーディオ等の機器にも適用可能である。
【図面の簡単な説明】
【００４０】
【図１】本発明の設定変更装置をテレビジョン受信機に適用した場合の一実施例を説明するためのブロック図である。
【図２】図１のテレビジョン受信機を遠隔操作するリモコンの概要を説明するための図である。
【図３】図１のテレビジョン受信機における設定変更方法について説明するためのフローチャートである。
【図４】図１のテレビジョン受信機における設定変更方法に伴うメニュー画面を示す図である。
【図５】図１のテレビジョン受信機における設定変更方法に伴うメニュー画面を示す図である。
【図６】図１のテレビジョン受信機における設定変更方法に伴うメニュー画面を示す図である。
【図７】図１のテレビジョン受信機における設定変更方法に関わる設定情報を説明するための図である。
【符号の説明】
【００４１】
１０  テレビジョン受信機
１０ａ  メニュー画面
１０ｆ  サブメニュー画面
１０ｇ  変更点表示画面
１０ｈ  確認画面
１０ｉ  実行表示画面
１０ｊ  実行終了表示画面
１０ｋ  変更内容確認画面
１０ｌ  確認画面
１０ｍ  実行表示画面
１０ｎ  実行終了表示画面
１１  チューナ
１２  デジタル信号復調部
１３  ＴＳデコーダ
１４  Ａ／Ｖデコーダ
１５  Ａ／Ｖ出力部
１６  メモリ（記憶手段）
１７  ＯＳＤコントローラ（表示手段）
１８  リモコン受信器
１９  制御部（制御手段）
２０  リモコン
２１  メニューボタン
２２  カーソルボタン
２３  戻るボタン
２４  決定ボタン
２５  終了ボタン
【図１】
2007306113.tif 000003
【図２】
2007306113.tif 000004
【図３】
2007306113.tif 000005
【図４】
2007306113.tif 000006
【図５】
2007306113.tif 000007
【図６】
2007306113.tif 000008
【図７】
2007306113.tif 000009